(57)【要約】      （修正有）【課題】特に下ロクロが中棒に対して揺動しないように、下ロクロが中棒との間の隙間を小さくする揺動防止部材を備える折り畳み傘の骨構造を提供する。【解決手段】伸縮可能な中棒と、下ロクロ２０と、上ロクロ３０と、骨部材４０を有し、その内、中棒は、下段から上段へ行くにつれて外径が小さくなる外部管体、中部管体、内部管体１３からなり、内部管体１３の上端近傍に内径が外部管体の外径と同一の揺動防止リング１５が環設され、下ロクロ２０は、スライド自在に中棒に取り付けられ、内径が揺動防止リング１５の外径と対応する下部リング２１を備え、上ロクロ３０は、中棒の上端に取り付けられ、骨部材４０は、下ロクロ２０及び上ロクロ３０に枢設される。【選択図】図８
0003189780.tif 000002
【実用新案登録請求の範囲】
【請求項１】
下段から上段へ行くにつれて外径が小さくなる外部管体、中部管体、内部管体からなり、該内部管体の上端近傍に内径が外部管体の外径と同一の揺動防止リングが環設される伸縮可能な中棒と、
スライド自在に前記中棒に取り付けられ、内径が揺動防止リングの外径と対応すると共に、スライド可能に中棒に環設される下部リングを備える下ロクロと、
前記中棒の上端に取り付けられる上ロクロと、
前記下ロクロ及び上ロクロに枢設される骨部材と、を有することを特徴とする揺動防止部材を備える折り畳み傘の骨構造。
【請求項２】
前記内部管体の上端近傍の壁に複数の位置決め孔が形成され、
前記揺動防止リングの内周面に複数の位置決め凸部が凸設され、これらの位置決め凸部が内部管体の位置決め孔に嵌合されることを特徴とする請求項１に記載の揺動防止部材を備える折り畳み傘の骨構造。
【請求項３】
前記中棒の内部管体にさらに、外径が該内部管体より小さくする上部管体が伸縮可能に収納されることを特徴とする請求項１または２に記載の揺動防止部材を備える折り畳み傘の骨構造。
【請求項４】
前記内部管体の上端に切欠き口が形成され、
前記揺動防止リングの上端に内部管体の切欠き口に対応するスリットが形成され、
前記内部管体の切欠き口及び揺動防止リングのスリットを通過するように、中棒に進退可能に突出する上はじきが取り付けられることを特徴とする請求項１乃至３の何れか１項に記載の揺動防止部材を備える折り畳み傘の骨構造。
【考案の詳細な説明】
【技術分野】
【０００１】
本考案は、特に下ロクロが中棒との間の隙間を小さくすると共に、下ロクロが中棒に対して揺動しないように取り付けられる折り畳み傘の骨構造に関するものである。
【背景技術】
【０００２】
図９及び図１０に示すように、既存の折り畳み傘の骨構造は、伸縮可能な中棒６０と、下ロクロ７０と、上ロクロ８０と、骨部材９０とを有し、その内、該中棒６０は、下段から上段へ行くにつれて外径が小さくなる外部管体６０１、中部管体６０２、内部管体６０３からなり、該下ロクロ７０は、スライド可能に中棒６０に環設する下部リング７０１を備え、該上ロクロ８０は、着脱可能に中棒６０の上端に取り付けられ、該骨部材９０は、下部リング７０１及び外部管体６０１に枢設される。且つ、該下部リング７０１が中棒６０に沿ってスライド自在に摺動することができ、傘を折り畳んで収納する時に、この下部リング７０１が外部管体６０１に対応するように摺動するために、該下部リング７０１の内径が外部管体６０１の外径により大きくすることが必要である。
【考案の概要】
【考案が解決しようとする課題】
【０００３】
しかしながら、傘を折り畳んで収納する時に、中棒の内部管体を中部管体に収納し、中部管体を外部管体に収納するために、内部管体の外径が中部管体の外径がより小さくすると共に、中部管体の外径が外部管体の外径より小さくし、このため、内部管体の外径が外部管体の外径との間に所定の差を有する。傘を開いて使用する時に、下部リングが外部管体に対応するところから内部管体に対応するように摺動し、下ロクロを中棒の上端に係合して位置決めると、下部リングの内径が内部管体の外径との間にかなりの隙間を生じる。使用者が中棒を持っている時に、下ロクロが中棒に対して揺動してしまうという問題があり、傘の持ちにくいことだけではなく、隣の人にも迷惑をかける虞もあった。
【課題を解決するための手段】
【０００４】
本考案に係る揺動防止部材を備える折り畳み傘の骨構造は、下段から上段へ行くにつれて外径が小さくなる外部管体、中部管体、内部管体からなり、該内部管体の上端近傍に内径が外部管体の外径と同一の揺動防止リングが環設される伸縮可能な中棒と、
スライド自在に前記中棒に取り付けられ、内径が揺動防止リングの外径と対応すると共に、スライド可能に中棒に環設される下部リングを備える下ロクロと、
前記中棒の上端に取り付けられる上ロクロと、
前記下ロクロ及び上ロクロに枢設される骨部材と、を有するものである。
【０００５】
かかる揺動防止部材を備える折り畳み傘の骨構造において、前記内部管体の上端近傍の壁に複数の位置決め孔が形成され、
前記揺動防止リングの内周面に複数の位置決め凸部が凸設され、これらの位置決め凸部が内部管体の位置決め孔に嵌合されることが好ましい。
【０００６】
かかる揺動防止部材を備える折り畳み傘の骨構造において、前記中棒の内部管体にさらに、外径が該内部管体より小さくする上部管体が伸縮可能に収納されることが好ましい。
【０００７】
かかる揺動防止部材を備える折り畳み傘の骨構造において、前記内部管体の上端に切欠き口が形成され、
前記揺動防止リングの上端に内部管体の切欠き口に対応するスリットが形成され、
前記内部管体の切欠き口及び揺動防止リングのスリットを通過するように、中棒に進退可能に突出する上はじきが取り付けられることが好ましい。
【考案の効果】
【０００８】
本考案に係る揺動防止部材を備える折り畳み傘の骨構造は、上述したように揺動防止リングを備えることから、傘を開いて使用する時に、下ロクロの下部リングが中棒の揺動防止リングに対応するように摺動し、また、揺動防止リングの外径が外部管体の外径と同一にすることから、下部リングの内径が揺動防止リングの外径に合っており、下部リングと揺動防止リングとの隙間がかなり小さいであり、下部リングが揺動防止リングに対して揺動することはなく、使用上の安定性を高める。
【０００９】
さらに、中棒の内部管体の上端近傍の壁に複数の位置決め孔が形成されると共に、揺動防止リングの内周面にこれらの位置決め孔に嵌合する複数の位置決め凸部が凸設されることから、揺動防止リングを内部管体上に位置決める効果に優れる。
【図面の簡単な説明】
【００１０】
【図１】本考案に係る揺動防止部材を備える折り畳み傘の骨構造において、開いた状態を示す斜視図である。
【図２】本考案に係る揺動防止部材を備える折り畳み傘の骨構造の部分分解斜視図である。
【図３】本考案に係る揺動防止部材を備える折り畳み傘の骨構造の部分拡大分解斜視図である。
【図４】本考案に係る揺動防止部材を備える折り畳み傘の骨構造における内部管体及び揺動防止リングの分解斜視図である。
【図５】本考案に係る揺動防止部材を備える折り畳み傘の骨構造における内部管体及び揺動防止リングの他の分解斜視図である
【図６】本考案に係る揺動防止部材を備える折り畳み傘の骨構造において、折り畳んだ状態を示す部分斜視図である。
【図７】本考案に係る揺動防止部材を備える折り畳み傘の骨構造において、開いた状態を示す部分斜視図である。
【図８】本考案に係る揺動防止部材を備える折り畳み傘の骨構造において、開いた状態を示す部分拡大断面図である。
【図９】既存の折り畳み傘の骨構造にいて、開いた状態を示す部分斜視図である。
【図１０】既存の折り畳み傘の骨構造において、開いた状態を示す部分拡大断面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図３に示すように、本考案に係るロクロの揺動を防止可能な折り畳み傘の骨構造は、中棒１０と、下ロクロ２０と、上ロクロ３０と、骨部材４０とを有する。
【００１３】
図２乃至図５に示すように、前記中棒１０は、伸縮可能な細長状の棒体であり、下段から上段へ行くにつれて外径が小さくなる外部管体１１、中部管体１２、内部管体１３、上部管体１４からなり、該内部管体１３の上端に切欠き口１３１が形成され、上端近傍の壁に複数の位置決め孔１３２が形成され、該上部管体１４の管壁を貫通するように上はじき１４１が取り付けられる。且つ、該中棒１０の内部管体１３の上端近傍に内径が外部管体１１の外径と同一の揺動防止リング１５が環設され、該揺動防止リング１５の上端近傍に内部管体１３の切欠き口１３１に対応するスリット１５１が形成され、該揺動防止リング１５の内周面に複数の位置決め凸部１５２が凸設され、これらの位置決め凸部１５２が内部管体１３の位置決め孔１３２に嵌合される。なお、該上部管体１４の上はじき１４１は、内部管体１３の切欠き口１３１及び揺動防止リング１５のスリット１５１を通過するように進退可能に突出する。
【００１４】
前記下ロクロ２０は、スライド自在に中棒１０に取り付けられ、内径が揺動防止リング１５の外径と対応する下部リング２１を備え、該下部リング２１は、スライド可能に中棒１０に環設され、下部リング２１を揺動防止リング１５と対応するように摺動すると、下部リング２１の内周面が揺動防止リング１５の外周面との間に小さいな隙間しか残っていなく、下部リング２１が揺動防止リング１５に対して揺動することはない。また、該下部リング２１における上はじき１４１に対応する箇所に押圧プレート２１１が設けられ、傘を折り畳む時に、使用者が押圧プレート２１１を押して上はじき１４１を中棒１０に進入させることができる。
【００１５】
前記上ロクロ３０は、中棒１０の上端に取り付けられる。前記骨部材４０は、下ロクロ２０及び上ロクロ３０に枢設される。
【００１６】
図２及び図６に示すように、傘を折り畳む時に、中部管体１２、内部管体１３、上部管体１４を次々に外部管体１１の内部に収納すると共に、下部リング２１を外部管体１１と対応するように中棒１０に沿って摺動する。
【００１７】
一方、図７及び図８に示すように、傘を開いて使用する時に、下ロクロ２０の下部リング２１を中棒１０に沿って上方へ摺動すると共に、上部管体１４、内部管体１３、中部管体１２を次々に外部管体１１から伸ばし、中棒１０を完全に引き出して傘を開くと、下部リング２１が揺動防止リング１５に対応するように環設することから、下部リング２１の内径が揺動防止リング１５の外径に合っていると共に、下部リング２１と揺動防止リング１５との隙間がかなり小さいであるので、下部リング２１が揺動防止リング１５に対して揺動することはなく、使用上の安定性を高める。
【符号の説明】
【００１８】
１０    中棒
１１    外部管体
１２    中部管体
１３    内部管体
１３１  切欠き口
１３２  位置決め孔
１４    上部管体
１４１  上はじき
１５    揺動防止リング
１５１  スリット
１５２  位置決め凸部
２０    下ロクロ
２１    下部リング
２１１  押圧プレート
３０    上ロクロ
４０    骨部材
【図１】
0003189780.tif 000003
【図２】
0003189780.tif 000004
【図３】
0003189780.tif 000005
【図４】
0003189780.tif 000006
【図５】
0003189780.tif 000007
【図６】
0003189780.tif 000008
【図７】
0003189780.tif 000009
【図８】
0003189780.tif 000010
【図９】
0003189780.tif 000011
【図１０】
0003189780.tif 000012